(57)【要約】【課題】ヒートポンプ方式を使用したガス気化システムを提供する。【解決手段】ガス気化システム１は、地中熱交換器１１、水−空気熱交換ユニット１２、ヒートポンプ装置１３、第一流路２１、第二流路２２、第三流路２３、及び第一電動弁３１を備えている。第一流路２１は、地中熱交換器１１と水−空気熱交換ユニット１２とを繋ぐ。第二流路２２は、水−空気熱交換ユニット１２とヒートポンプ装置１３とを繋ぐ。第三流路２３は、地中熱交換器１１とヒートポンプ装置１３とを繋ぐ。第一電動弁３１は、第一流路２１を介して地中熱交換器１１から水−空気熱交換ユニット１２に第一液体８１を流す場合と、第三流路２３を介して地中熱交換器１１からヒートポンプ装置１３に第一液体８１を流す場合とを切り替える。【選択図】図１
2020139550.tif 000002
【特許請求の範囲】
【請求項１】
第一液体と地中熱との熱交換を行う地中熱交換部と、
前記第一液体と空気との熱交換を行う空気熱交換部と、
ヒートポンプ方式によって前記第一液体と第二液体との熱交換を行うヒートポンプ部と、
前記ヒートポンプ部において熱交換された前記第二液体と液化ガスとの熱交換によって、前記液化ガスを気化させるガス気化部と、
前記第一液体が流れる流路であって、前記地中熱交換部と前記空気熱交換部とを繋ぐ第一流路と、
前記第一液体が流れる流路であって、前記空気熱交換部と前記ヒートポンプ部とを繋ぐ第二流路と、
前記第一液体が流れる流路であって、前記地中熱交換部と前記ヒートポンプ部とを繋ぐ第三流路と、
前記第一流路を介して前記地中熱交換部から前記空気熱交換部に前記第一液体を流す場合と、前記第三流路を介して前記地中熱交換部から前記ヒートポンプ部に前記第一液体を流す場合とを切り替える第一切替部と
を備えたことを特徴とするガス気化システム。
【請求項２】
前記第一流路又は前記第三流路を流れる前記第一液体の温度である第一温度を取得する第一温度取得手段と、
外気の温度である第二温度を取得する第二温度取得手段と、
前記第一温度取得手段によって取得された前記第一温度が、前記第二温度取得手段によって取得された前記第二温度より小さいか否かを判断する第一温度判断手段と、
前記第一温度判断手段によって前記第一温度が前記第二温度より小さいと判断された場合に、前記第一切替部を制御して、前記第一流路を介して前記地中熱交換部から前記空気熱交換部に前記第一液体を流す第一制御手段と、
前記第一温度判断手段によって前記第一温度が前記第二温度より小さくないと判断された場合に、前記第一切替部を制御して、前記第三流路を介して前記地中熱交換部から前記ヒートポンプ部に前記第一液体を流す第二制御手段と
を備えたことを特徴とする請求項１に記載のガス気化システム。
【請求項３】
前記ヒートポンプ部において熱交換に使用された後の前記第一液体が流れる流路であって、前記ヒートポンプ部と前記地中熱交換部とを繋ぐ第四流路を備えたことを特徴とする請求項１又は２に記載のガス気化システム。
【請求項４】
前記ヒートポンプ部において熱交換に使用された後の前記第一液体が流れる流路であって、前記ヒートポンプ部と前記空気熱交換部とを繋ぐ第五流路と、
前記第四流路を介して前記ヒートポンプ部から前記地中熱交換部に前記第一液体を流す場合と、前記第五流路を介して前記ヒートポンプ部から前記空気熱交換部に前記第一液体を流す場合とを切り替える第二切替部と
を備えたことを特徴とする請求項３に記載のガス気化システム。
【請求項５】
前記第四流路を流れる前記第一液体の温度である第三温度を取得する第三温度取得手段と、
前記地中熱交換部に前記第一液体が流れている状態における、前記第一流路を流れる前記第一液体の温度である第四温度を取得する第四温度取得手段と、
前記第三温度取得手段によって取得された前記第三温度が、前記第四温度取得手段によって取得された前記第四温度より大きいか否かを判断する第二温度判断手段と、
前記第二温度判断手段によって前記第三温度が前記第四温度より大きいと判断された場合に、前記第二切替部を制御して、前記第四流路を介して前記ヒートポンプ部から前記地中熱交換部に前記第一液体を流す第三制御手段と、
前記第二温度判断手段によって前記第三温度が前記第四温度より大きくないと判断された場合に、前記第二切替部を制御して、前記第五流路を介して前記ヒートポンプ部から前記空気熱交換部に前記第一液体を流す第四制御手段と
を備えたことを特徴とする請求項４に記載のガス気化システム。
【請求項６】
前記空気熱交換部において熱交換された後の前記第一液体が流れる流路であって、前記空気熱交換部と前記地中熱交換部とを繋ぐ第六流路と、
前記第二流路を介して前記空気熱交換部から前記ヒートポンプ部に前記第一液体を流す場合と、前記第六流路を介して前記空気熱交換部から前記地中熱交換部に前記第一液体を流す場合とを切り替える第三切替部と
を備えたことを特徴とする請求項３から５のいずれかに記載のガス気化システム。
【請求項７】
前記ガス気化部による前記液化ガスの気化が停止されている場合に、前記第三切替部を制御して、前記第六流路を介して前記空気熱交換部から前記地中熱交換部に前記第一液体を流す第五制御手段を備えたことを特徴とする請求項６に記載のガス気化システム。
【請求項８】
前記第二液体が流れる流路であって、前記ヒートポンプ部と前記ガス気化部とを繋ぐ流路である第七流路と、
前記第一液体が流れる流路であって、前記空気熱交換部と前記ガス気化部とを繋ぐ第八流路と、
前記第二流路を介して前記空気熱交換部から前記ヒートポンプ部に前記第一液体を流し、前記第七流路を介して前記ヒートポンプ部から前記ガス気化部に前記第二液体を流す場合と、前記第八流路を介して前記空気熱交換部から前記ガス気化部に前記第一液体を流す場合とを切り替える第四切替部と
を備えたことを特徴とする請求項１から７のいずれかに記載のガス気化システム。
【請求項９】
前記第二流路又は前記第八流路を流れる前記第一液体の温度である第五温度を取得する第五温度取得手段と、
前記第五温度取得手段によって取得された前記第五温度が、前記ガス気化部によって前記液化ガスを気化可能な温度である気化温度より小さいか否かを判断する第三温度判断手段と、
前記第三温度判断手段によって前記第五温度が前記気化温度より小さいと判断された場合に、前記第四切替部を制御して、前記第二流路を介して前記空気熱交換部から前記ヒートポンプ部に前記第一液体を流し、前記第七流路を介して前記ヒートポンプ部から前記ガス気化部に前記第二液体を流す第六制御手段と、
前記第三温度判断手段によって前記第五温度が前記気化温度より小さくないと判断された場合に、前記第四切替部を制御して、前記第八流路を介して前記空気熱交換部から前記ガス気化部に前記第一液体を流す第七制御手段と
を備えたことを特徴とする請求項８に記載のガス気化システム。
【発明の詳細な説明】
【技術分野】
【０００１】
本発明は、液化ガスを気化するガス気化システムに関する。
【背景技術】
【０００２】
従来、液化天然ガス、液化アルゴン、液化窒素、液化酸素、液化エタン、及び液化エチレン等の液化ガスを、熱交換用の液体との熱交換によって加熱して、ガスを気化させるガス気化システムが知られている。例えば、特許文献１に記載の気化装置は、ボイラー装置と気化器とを備えている。ボイラー装置によって加熱された温水は、気化器に導入される。気化器内には、伝熱管部が設けられている。伝熱管部は、液化天然ガスを案内する。伝熱管部を流れる液化天然ガスは、温水との熱交換によって気化される。ボイラー装置は、燃料を使用している。
【先行技術文献】
【特許文献】
【０００３】
【特許文献１】特許第６２９３３３１号公報
【発明の概要】
【発明が解決しようとする課題】
【０００４】
しかしながら、前記気化装置は、ボイラー装置によって水を加熱して温水を生成している。このため、ボイラー装置を駆動するための燃料のコストがかかっていた。ここで、室内の空調を行う空調分野では、プロパンガス等の燃料を使用することなく、ヒートポンプ方式による熱交換によって、低コストで空調を行うヒートポンプ装置が知られている。ヒートポンプ装置は、例えば、地中熱との熱交換によって加熱又は冷却された第一液体の温度を使用して、第二液体を加熱又は冷却する。そして、ヒートポンプ装置によって加熱又は冷却された第二液体の温度が使用され、空調の暖房又は冷房が行われる。
【０００５】
一般的に、ヒートポンプ装置が室内の空調に利用される場合、冬季は暖房に設定され、夏季は冷房に設定される。地中の温度は、一年を通じてほぼ一定である。このため、冬季においては、地中熱により第一液体を加熱し、ヒートポンプ装置によって第一液体の温度を使用して第二液体を加熱し、第二液体の温度によって、室内を暖房することができる。夏季においては、地中熱により第一液体を冷却し、ヒートポンプ装置によって第一液体の温度を使用して第二液体を冷却し、第二液体の温度によって、室内を冷却することができる。
【０００６】
しかし、液化ガスを気化する場合には、一年を通して、液化ガスを温める必要があるため、一年を通して、第二液体を加熱する必要がある。ヒートポンプ方式をガス気化システムに採用した場合、冬季であれば、地中熱により第一液体を加熱し、第一液体の温度を利用して、ヒートポンプ装置によって第二液体を加熱することができる。しかし、夏季は、第一液体の温度が地中より高いので、第一液体を地中熱によって加熱することができない。よって、ヒートポンプ装置において第一液体の温度を利用して、第二液体を加熱することができず、液化ガスを気化できなかった。よって、ヒートポンプ方式を使用した場合、一年を通して、液化ガスを気化させることができなった。よって、ガス気化システムにヒートポンプ方式を採用することができなかった。
【０００７】
本発明の目的は、ヒートポンプ方式を使用したガス気化システムを提供することである。
【課題を解決するための手段】
【０００８】
本発明に係るガス気化システムは、第一液体と地中熱との熱交換を行う地中熱交換部と、前記第一液体と空気との熱交換を行う空気熱交換部と、ヒートポンプ方式によって前記第一液体と第二液体との熱交換を行うヒートポンプ部と、前記ヒートポンプ部において熱交換された前記第二液体と液化ガスとの熱交換によって、前記液化ガスを気化させるガス気化部と、前記第一液体が流れる流路であって、前記地中熱交換部と前記空気熱交換部とを繋ぐ第一流路と、前記第一液体が流れる流路であって、前記空気熱交換部と前記ヒートポンプ部とを繋ぐ第二流路と、前記第一液体が流れる流路であって、前記地中熱交換部と前記ヒートポンプ部とを繋ぐ第三流路と、前記第一流路を介して前記地中熱交換部から前記空気熱交換部に前記第一液体を流す場合と、前記第三流路を介して前記地中熱交換部から前記ヒートポンプ部に前記第一液体を流す場合とを切り替える第一切替部とを備えている。この場合、例えば、冬季及び夜間など、気温が低く、空気熱交換部において第一液体を加熱できない場合には、地中熱交換部によって第一液体を加熱し、加熱した第一液体を、第三流路２３を介して地中熱交換器１１からヒートポンプ部に流すことができる。そして、ヒートポンプ部において第一液体の温度を使用して、第二液体を加熱することができる。そして、加熱した第二液体をガス気化部に流し、液化ガスの気化に使用することができる。また、例えば、春季、夏季、秋季、及び日中など、気温が高く、空気熱交換部において第一液体を加熱できる場合には、地中熱交換部において熱交換された第一液体を、第一流路を介して空気熱交換部に第一液体に送り、空気熱交換部において第一液体を加熱することができる。そして、ヒートポンプ部において第一液体の温度を使用して、第二液体を加熱することができる。そして、加熱した第二液体をガス気化部に流し、液化ガスの気化に使用することができる。このように、ヒートポンプ方式を使用して、一年を通して、液化ガスを気化させることができる。よって、ガス気化システムにヒートポンプ方式を使用することができる。
【０００９】
前記ガス気化システムは、前記第一流路又は前記第三流路を流れる前記第一液体の温度である第一温度を取得する第一温度取得手段と、外気の温度である第二温度を取得する第二温度取得手段と、前記第一温度取得手段によって取得された前記第一温度が、前記第二温度取得手段によって取得された前記第二温度より小さいか否かを判断する第一温度判断手段と、前記第一温度判断手段によって前記第一温度が前記第二温度より小さいと判断された場合に、前記第一切替部を制御して、前記第一流路を介して前記地中熱交換部から前記空気熱交換部に前記第一液体を流す第一制御手段と、前記第一温度判断手段によって前記第一温度が前記第二温度より小さくないと判断された場合に、前記第一切替部を制御して、前記第三流路を介して前記地中熱交換部から前記ヒートポンプ部に前記第一液体を流す第二制御手段とを備えてもよい。第一温度が、外気の温度である第二温度よりも小さい場合、空気熱交換部において、第一液体を加熱することが可能である。このため、第一制御手段によって、空気熱交換部に第一液体を流して、第一液体を加熱することができる。一方、第一温度が、外気の温度である第二温度以上である場合、空気熱交換部において、第一液体を加熱することが難しい。このため、第二制御手段によって、空気熱交換部には第一液体を流さず、地中熱交換部からヒートポンプ部に直接第一液体を流すのである。このように、第一温度と第二温度との関係によって、第一流路を介して地中熱交換部から空気熱交換部に第一液体が流される場合と、第三流路を介して地中熱交換部からヒートポンプ部に第一液体が流される場合とが、自動的に切り替えられる。よって、ユーザが手動で切り替える必要がなく、ユーザの利便性が向上する。
【００１０】
前記ガス気化システムは、前記ヒートポンプ部において熱交換に使用された後の前記第一液体が流れる流路であって、前記ヒートポンプ部と前記地中熱交換部とを繋ぐ第四流路を備えてもよい。この場合、第四流路２４が設けられていることによって、ヒートポンプ部において熱交換に使用された後の第一液体を、地中熱交換器に流すことができる。よって、例えば、地中の温度が第一液体より高いときには、ヒートポンプ部から地中熱交換部に第一液体を流して、第一液体を加熱することができる。また、例えば、地中の温度が第一液体より低いときには、ヒートポンプ部から地中熱交換部に第一液体を流して、地中熱交換器部において地中を温めて、地中が、所謂「熱枯れ」となる可能性を低減することができる。
【００１１】
前記ガス気化システムは、前記ヒートポンプ部において熱交換に使用された後の前記第一液体が流れる流路であって、前記ヒートポンプ部と前記空気熱交換部とを繋ぐ第五流路と、前記第四流路を介して前記ヒートポンプ部から前記地中熱交換部に前記第一液体を流す場合と、前記第五流路を介して前記ヒートポンプ部から前記空気熱交換部に前記第一液体を流す場合とを切り替える第二切替部とを備えてもよい。この場合、地中熱交換部に第一液体を流す場合と、流さない場合とを切り替えることができる。よって、例えば、ヒートポンプ部から第四流路に流出した第一液体に、地中を温めることができる温度が残っている場合にのみ、地中熱交換部に第一液体を流して、地中が所謂「熱枯れ」となる可能性を低減することができる。
【００１２】
前記ガス気化システムにおいて、前記第四流路を流れる前記第一液体の温度である第三温度を取得する第三温度取得手段と、前記地中熱交換部に前記第一液体が流れている状態における、前記第一流路を流れる前記第一液体の温度である第四温度を取得する第四温度取得手段と、前記第三温度取得手段によって取得された前記第三温度が、前記第四温度取得手段によって取得された前記第四温度より大きいか否かを判断する第二温度判断手段と、前記第二温度判断手段によって前記第三温度が前記第四温度より大きいと判断された場合に、前記第二切替部を制御して、前記第四流路を介して前記ヒートポンプ部から前記地中熱交換部に前記第一液体を流す第三制御手段と、前記第二温度判断手段によって前記第三温度が前記第四温度より大きくないと判断された場合に、前記第二切替部を制御して、前記第五流路を介して前記ヒートポンプ部から前記空気熱交換部に前記第一液体を流す第四制御手段とを備えてもよい。第三温度が第四温度より大きい場合、地中熱交換器部において第一液体の温度が使用され、地中が温められている状態である。地中熱交換部において地中が温められる状態である場合に、第四流路を介してヒートポンプ部から地中熱交換部に第一液体が流されるので、地中が温められ、地中が所謂「熱枯れ」の状態となる可能性を低減できる。一方、第三温度が第四温度より大きくない場合、地中熱交換部において第一液体が地中から熱を奪っている状態である。第一液体が地中から熱を奪っている状態である場合に、第五流路を介してヒートポンプ装置から空気熱交換部に第一液体が流されるので、地中熱交換部に第一液体が流されない。このため、地中熱交換部において地中の熱が奪われ、地中が所謂「熱枯れ」の状態となる可能性を低減できる。
【００１３】
前記ガス気化システムは、前記空気熱交換部において熱交換された後の前記第一液体が流れる流路であって、前記空気熱交換部と前記地中熱交換部とを繋ぐ第六流路と、前記第二流路を介して前記空気熱交換部から前記ヒートポンプ部に前記第一液体を流す場合と、前記第六流路を介して前記空気熱交換部から前記地中熱交換部に前記第一液体を流す場合とを切り替える第三切替部とを備えてもよい。第二流路を介して空気熱交換部からヒートポンプ部に第一液体を流す場合、空気熱交換部において加熱した第一液体の温度を使用して、ヒートポンプ部において第二液体を加熱することができる。また、空気熱交換部から地中熱交換部に第一液体を流す場合、空気熱交換部において加熱した第一液体の温度を使用して、地中熱交換部において地中を温めることができる。よって、地中が所謂「熱枯れ」になる可能性を低減できる。
【００１４】
前記ガス気化システムは、前記ガス気化部による前記液化ガスの気化が停止されている場合に、前記第三切替部を制御して、前記第六流路を介して前記空気熱交換部から前記地中熱交換部に前記第一液体を流す第五制御手段を備えてもよい。この場合、ガス気化部による液化ガスの気化が停止されている場合に、空気熱交換部において加熱した第一液体の温度を使用して、地中熱交換部において地中を温めることができる。よって、地中が所謂「熱枯れ」になる可能性を低減できる。
【００１５】
前記ガス気化システムは、前記第二液体が流れる流路であって、前記ヒートポンプ部と前記ガス気化部とを繋ぐ流路である第七流路と、前記第一液体が流れる流路であって、前記空気熱交換部と前記ガス気化部とを繋ぐ第八流路と、前記第二流路を介して前記空気熱交換部から前記ヒートポンプ部に前記第一液体を流し、前記第七流路を介して前記ヒートポンプ部から前記ガス気化部に前記第二液体を流す場合と、前記第八流路を介して前記空気熱交換部から前記ガス気化部に前記第一液体を流す場合とを切り替える第四切替部とを備えてもよい。第八流路を介して空気熱交換部からガス気化部に第一液体を流す場合、空気熱交換部において加熱された第一液体を使用して、液化ガスを気化することができる。よって、ヒートポンプ部を駆動する必要がなく、ガス気化システムの運転コストを低減することができる。
【００１６】
前記ガス気化システムは、前記第二流路又は前記第八流路を流れる前記第一液体の温度である第五温度を取得する第五温度取得手段と、前記第五温度取得手段によって取得された前記第五温度が、前記ガス気化部によって前記液化ガスを気化可能な温度である気化温度より小さいか否かを判断する第三温度判断手段と、前記第三温度判断手段によって前記第五温度が前記気化温度より小さいと判断された場合に、前記第四切替部を制御して、前記第二流路を介して前記空気熱交換部から前記ヒートポンプ部に前記第一液体を流し、前記第七流路を介して前記ヒートポンプ部から前記ガス気化部に前記第二液体を流す第六制御手段と、前記第三温度判断手段によって前記第五温度が前記気化温度より小さくないと判断された場合に、前記第四切替部を制御して、前記第八流路を介して前記空気熱交換部から前記ガス気化部に前記第一液体を流す第七制御手段とを備えてもよい。この場合、第五温度が気化温度以上である場合に、自動的に、第一液体がガス気化部に流され、液化ガスの気化に使用される。よって、ユーザが手動で流路を切り替える必要がなく、ユーザの利便性が向上する。
【図面の簡単な説明】
【００１７】
【図１】第一状態にあるガス気化システム１の構成を示す図である。
【図２】ガス気化システム１の電気的構成を示す図である。
【図３】第二状態にあるガス気化システム１の構成を示す図である。
【図４】第三状態にあるガス気化システム１の構成を示す図である。
【図５】第四状態にあるガス気化システム１の構成を示す図である。
【図６】第五状態にあるガス気化システム１の構成を示す図である。
【図７】第六状態にあるガス気化システム１の構成を示す図である。
【図８】メイン処理のフローチャートである。
【図９】図８の続きのフローチャートである。
【図１０】図９の続きのフローチャートである。
【発明を実施するための形態】
【００１８】
以下、本発明を具現化したガス気化システム１について説明する。まず、図１を参照して、ガス気化システム１の概要について説明する。図１に示すガス気化システム１は、第一液体８１又は第二液体８２の温度を使用して、液化ガス容器１４１内の液化ガスを気化させるシステムである。液化ガスは、例えば、ＬＮＧ（Ｌｉｑｕｅｆｉｅｄ  Ｎａｔｕｒａｌ  Ｇａｓ、液化天然ガス）、液化アルゴン、液化窒素、液化酸素、液化エタン、及び液化エチレン等である。本実施形態においては、一例として、液化ガス１４２は、ＬＮＧであるとする。液化ガス１４２が気化されたガスは、例えば、図示しない発電設備に送られ、発電等に使用される。以下の説明において、図１の紙面上側及び下側を、ガス気化システム１の上側及び下側という。また、ガス気化システム１の下側は重力方向であり、上側は反重力方向である。また、第一液体８１と第二液体８２は、一例として、水であるとする。
【００１９】
ガス気化システム１の構成について説明する。ガス気化システム１は、地中熱交換器１１、水−空気熱交換ユニット１２、ヒートポンプ装置１３、ガス気化設備１４、第一流路２１、第二流路２２、第三流路２３、第四流路２４、第五流路２５、第六流路２６、第七流路２７、第八流路２８、第九流路２９、第十流路３０等を備えている。
【００２０】
地中熱交換器１１は、地表１０５から下側に向けて設けられている。地中熱交換器１１は、地中の地中熱と第一液体８１との熱交換を行う。水−空気熱交換ユニット１２は、第一液体８１と空気との熱交換を行う装置である。ヒートポンプ装置１３は、ヒートポンプ方式により、第一液体８１と第二液体８２との熱交換を行う装置である。
【００２１】
ガス気化設備１４は、流路６７２から流入する第一液体８１又は第二液体８２と、液化ガス容器１４１内の液化ガス１４２との熱交換によって液化ガス１４２を温め、気化させる。液化ガス１４２の気化に使用された第一液体８１又は第二液体８２は、流路６９１に流出する。
【００２２】
第一流路２１は、第一液体８１が流れる流路であって、地中熱交換器１１と水−空気熱交換ユニット１２とを繋ぐ。第一流路２１は、流路６１１，６１２，６１３を含む。第二流路２２は、第一液体８１が流れる流路であって、水−空気熱交換ユニット１２とヒートポンプ装置１３とを繋ぐ。第二流路２２は、流路６２１，６２２，６２３，６２４を含む。
【００２３】
第三流路２３は、第一液体８１が流れる流路であって、地中熱交換器１１とヒートポンプ装置１３とを繋ぐ。第三流路２３は、流路６１１，６１２、流路６３１、及び流路６２２，６２３，６２４を含む。第四流路２４は、ヒートポンプ装置１３において熱交換に使用された後の第一液体８１が流れる流路であって、ヒートポンプ装置１３と地中熱交換器１１とを繋ぐ。第四流路２４は、流路６４１，６４２，６４３，６４４を含む。
【００２４】
第五流路２５は、ヒートポンプ装置１３において熱交換に使用された後の前記第一液体が流れる流路であって、ヒートポンプ装置１３と水−空気熱交換ユニット１２とを繋ぐ。第五流路２５は、流路６４１，６４２，６４３，流路６５１、及び流路６１２，６１３を含む。第六流路２６は、空気熱交換ユニット１２において熱交換された後の第一液体８１が流れる流路であって、水−空気熱交換ユニット１２と地中熱交換器１１とを繋ぐ。第六流路２６は、流路６２１，６２２、流路６６１、及び流路６４３，６４４を含む。
【００２５】
第七流路２７は、第二液体８２が流れる流路であって、ヒートポンプ装置１３とガス気化設備１４とを繋ぐ。第七流路２７は、流路６７１，６７２を含む。第八流路２８は、第一液体８１が流れる流路であって、水−空気熱交換ユニット１２とガス気化設備１４とを繋ぐ。第八流路２８は、流路６２１，６２２，６２３、流路６８１、流路６７２を含む。
【００２６】
第九流路２９は、ガス気化設備１４において液化ガス１４２の気化に使用された後の第二液体８２が流れる流路であって、ガス気化設備１４とヒートポンプ装置１３と繋ぐ。第九流路２９は、流路６９１，６９２を含む。第十流路３０は、流路６４２と、ガス気化設備１４とを繋ぐ。第十流路３０は、流路６９１と流路７０１とを含む。
【００２７】
地中熱交換器１１は、地中に埋設された２つのＵチューブ１１１，１１２を備えている。各Ｕチューブ１１１，１１２の下端は、Ｕ字状に形成されている。Ｕチューブの内側を第一液体８１が流れる。Ｕチューブ１１１，１１２の夫々の一端は、接続点４０１において流路６１１に接続されている。Ｕチューブ１１１，１１２の夫々の他端は、接続点４０２において流路６４４に接続されている。
【００２８】
流路６１１は、接続点４０４において、流路６１２と流路６５１とに接続されている。流路６１２は、第一電動弁３１を介して、流路６１３と流路６３１とに接続されている。第一電動弁３１は、三方弁である。
【００２９】
流路６１３は、水−空気熱交換ユニット１２に接続されている。流路６３１は、接続点４０３において流路６２１と流路６２２とに接続されている。流路６２１は、水−空気熱交換ユニット１２に接続されている。流路６２２は、第三電動弁３３を介して、流路６２３と流路６６１とに接続されている。第三電動弁３３は、三方弁である。
【００３０】
流路６２３は、第四電動弁３４を介して、流路６２４と流路６８１とに接続されている。第四電動弁３４は、三方弁である。流路６２４は、ヒートポンプ装置１３に接続されている。流路６８１は、接続点４０６において、流路６７１と流路６７２とに接続されている。
【００３１】
流路６７１は、ヒートポンプ装置１３に接続されている。流路６７２は、ガス気化設備１４に接続されている。
【００３２】
流路６９１は、ガス気化設備１４に接続されている。流路６９１は、接続点４０７において流路６９２と流路７０１とに接続されている。流路６９２は、ヒートポンプ装置１３に接続されている。
【００３３】
流路７０１は、第五電動弁３５を介して、流路６４１と流路６４２とに接続されている。流路６４１は、ヒートポンプ装置１３に接続されている。流路６４２は、接続点４０５において、流路６４３と流路６６１とに接続されている。流路６４３は、第二電動弁３２を介して、流路６４４と流路６５１とに接続されている。第二電動弁３２は、三方弁である。
【００３４】
第一電動弁３１は、第一流路２１を介して地中熱交換器１１から水−空気熱交換ユニット１２に第一液体８１を流す場合（図１の矢印Ｈ１参照）と、第三流路２３を介して地中熱交換器１１からヒートポンプ装置１３に第一液体８１を流す場合（図３の矢印Ｈ２参照）とを切り替える。第一電動弁３１は、電動弁であり、後述するＣＰＵ６０１（図２参照）の制御によって流路を切り替える（第二電動弁３２、第三電動弁３３、第四電動弁３４、及び第五電動弁３５も同様）。
【００３５】
第二電動弁３２は、第四流路２４を介してヒートポンプ装置１３から地中熱交換器１１に第一液体８１を流す場合（図１の矢印Ｈ４参照）と、第五流路２５を介してヒートポンプ装置１３から水−空気熱交換ユニット１２に第一液体８１を流す場合（図４の矢印Ｈ３参照）とを切り替える。
【００３６】
第三電動弁３３は、第二流路２２を介して水−空気熱交換ユニット１２からヒートポンプ装置１３に第一液体８１を流す場合（図１の矢印Ｈ５参照）と、第六流路２６を介して水−空気熱交換ユニット１２から地中熱交換器１１に第一液体８１を流す場合（図５の矢印Ｈ６参照）とを切り替える。
【００３７】
第四電動弁３４は、第二流路２２を介して水−空気熱交換ユニット１２からヒートポンプ装置１３に第一液体８１を流し（図１の矢印Ｈ５参照）、第七流路２７を介してヒートポンプ装置１３からガス気化設備１４に第二液体８２を流す場合（図１の矢印Ｈ１０参照）と、第八流路２８を介して水−空気熱交換ユニット１２からガス気化設備１４に第一液体８１を流す場合（図６及び図７の矢印Ｈ７参照）とを切り替える。
【００３８】
第五電動弁３５は、第九流路２９を介して、ガス気化設備１４からヒートポンプ装置１３に第二液体８２を流す場合（図１の矢印Ｈ８参照）と、第十流路３０を介して、ガス気化設備１４から、地中熱交換器１１又は水−空気熱交換ユニット１２に第一液体８１を流す場合（図６の矢印Ｈ９、図７の矢印Ｈ１１参照）とを切り替える。
【００３９】
第一ポンプ５１１は、流路６１２に設けられている。第一ポンプ５１１は、後述するＣＰＵ６０１（図２参照）の制御によって、第一液体８１を流す。第二ポンプ５１２は、流路６７２に設けられている。第二ポンプ５１２は、ＣＰＵ６０１（図２参照）の制御によって、第一液体８１又は第二液体８２を流す。
【００４０】
第一温度センサ５２１は、流路６１２に設けられている。第一温度センサ５２１は、第一流路２１又は第三流路２３を流れる第一液体８１の温度に対応する信号を、ＣＰＵ６０１に出力する。ＣＰＵ６０１は、第一温度センサ５２１の出力に基づき、第一流路２１又は第三流路２３を流れる第一液体８１の温度を取得する。
【００４１】
第二温度センサ５２２は、ガス気化システム１において、外気の温度を検出可能な位置に設けられている。第二温度センサ５２２は、外気の温度に対応する信号を、ＣＰＵ６０１に出力する。ＣＰＵ６０１は、第二温度センサ５２２の出力に基づき、外気の温度を取得する。
【００４２】
第三温度センサ５２３は、流路６４３に設けられている。第三温度センサ５２３は、第四流路２４、第五流路２５、又は第六流路２６を流れる第一液体８１の温度に対応する信号を、ＣＰＵ６０１に出力する。ＣＰＵ６０１は、第三温度センサ５２３の出力に基づき、第四流路２４、第五流路２５、又は第六流路２６に流れる第一液体８１の温度を取得する。
【００４３】
第四温度センサ５２４は、流路６７２に設けられている。第四温度センサ５２４は、第七流路２７を流れる第二液体８２の温度、又は、第八流路２８を流れる第一液体８１の温度に対応する信号を、ＣＰＵ６０１に出力する。ＣＰＵ６０１は、第四温度センサ５２４の出力に基づき、第七流路２７を流れる第二液体８２の温度、又は、第八流路２８を流れる第一液体８１の温度を取得する。
【００４４】
第五温度センサ５２５は、流路６２２に設けられている。第五温度センサ５２５は、第二流路２２又は第三流路２３を流れる第一液体８１の温度に対応する信号を、ＣＰＵ６０１に出力する。ＣＰＵ６０１は、第五温度センサ５２５の出力に基づき、第二流路２２又は第三流路２３を流れる第一液体８１の温度を取得する。
【００４５】
流量計５４１は、流路６４３に設けられている。流量計５４１は、流路６４３を流れる第一液体８１の流量に対応する信号を、ＣＰＵ６０１に出力する。ＣＰＵ６０１は、流量計５４１の出力に基づき、流路６４３を流れる第一液体８１の流量を検出する。
【００４６】
図２を参照して、ガス気化システム１の電気的構成について説明する。制御部６０は、図示しない制御盤に設けられている。制御部６０は、ＣＰＵ６０１、ＲＯＭ６０２、及びＲＡＭ６０３等を備えている。
【００４７】
ＣＰＵ６０１は、ガス気化システム１の制御を行う。ＣＰＵ６０１は、ＲＯＭ６０２とＲＡＭ６０３とに電気的に接続されている。ＲＯＭ６０２には、後述するメイン処理（図８参照）のプログラム等、種々のプログラムデータが記憶されている。ＲＡＭ６０３には、種々の一時データが記憶される。
【００４８】
ＣＰＵ６０１は、ガス気化設備１４に電気的に接続されている。ＣＰＵ６０１は、ガス気化設備１４を制御し、液化ガス容器１４１内の液化ガス１４２を気化する。ＣＰＵ６０１は、液化ガス１４２が気化したガスを、例えば、発電設備等に送る。ガスは、発電等に使用される。
【００４９】
ＣＰＵ６０１は、ヒートポンプ装置１３に、電気的に接続されている。ＣＰＵ６０１は、ヒートポンプ装置１３の制御を行う。ＣＰＵ６０１は、ヒートポンプ装置１３を制御し、ヒートポンプ方式により、第一液体８１と第二液体８２との熱交換を行う。本実施形態においては、ヒートポンプ装置１３は、第一液体８１の温度を使用し、第二液体８２を加熱する。
【００５０】
本実施形態では、一例として、水−空気熱交換ユニット１２（図１参照）は、ファンなどの駆動源を使用しない自然対流型熱交換によって第一液体８１と空気の熱交換を行うとする。この場合、水−空気熱交換ユニット１２はＣＰＵ６０１に電気的に接続されなくてもよい。なお、水−空気熱交換ユニット１２は、例えばファンなどを用いて強制的に熱交換を行う強制対流型熱交換によって、第一液体８１と空気の熱交換を行ってもよい。この場合、水−空気熱交換ユニット１２はＣＰＵ６０１に電気的に接続される。ＣＰＵ６０１は、水−空気熱交換ユニット１２に第一液体８１を流す場合に、水−空気熱交換ユニット１２を駆動し、水−空気熱交換ユニット１２に第一液体８１を流さない場合に、水−空気熱交換ユニット１２を停止してもよい。
【００５１】
ＣＰＵ６０１は、操作部６０９に電気的に接続されている。ＣＰＵ６０１は、操作部６０９から入力される使用者からの指示を取得する。
【００５２】
ＣＰＵ６０１は、第一電動弁３１、第二電動弁３２、第三電動弁３３、第四電動弁３４、第五電動弁３５、第一ポンプ５１１、第二ポンプ５１２、流量計５４１、第一温度センサ５２１、第二温度センサ５２２、第三温度センサ５２３、第四温度センサ５２４、及び第五温度センサ５２５に電気的に接続されている。ＣＰＵ６０１は、第一電動弁３１、第二電動弁３２、第三電動弁３３、第四電動弁３４、及び第五電動弁３５を制御し、流路を切り替える。
【００５３】
本実施形態においては、一例として、第一ポンプ５１１と第二ポンプ５１２は、第一液体８１又は第二液体８２の流量を調整可能なポンプ（例えば、インバータポンプ）であるとする。ＣＰＵ６０１は、第一ポンプ５１１と第二ポンプ５１２による流量を制御する。ＣＰＵ６０１は、例えば、第一温度センサ５２１、第二温度センサ５２２、第三温度センサ５２３、第四温度センサ５２４、及び第五温度センサ５２５の出力を参照しながら、第一ポンプ５１１と第二ポンプ５１２による第一液体８１又は第二液体８２の流量を調整する。
【００５４】
ガス気化システム１における第一液体８１と第二液体８２の流れについて説明する。本実施形態においては、ＣＰＵ６０１が第一電動弁３１、第二電動弁３２、第三電動弁３３、第四電動弁３４、及び第五電動弁３５を制御することで、第一液体８１と第二液体８２とが流れる流路が切り替わる。これによって、ガス気化システム１の状態が、第一状態（図１参照）、第二状態（図３参照）、第三状態（図４参照）、第四状態（図５参照）、第五状態（図６参照）、及び第六状態（図７参照）の間で変化する。
【００５５】
以下の説明においては、第一流路２１又は第三流路２３を流れる第一液体８１の温度を「第一温度」という。外気の温度を「第二温度」という。第四流路２４を流れる第一液体８１の温度を「第三温度」という。地中熱交換器１１に第一液体８１が流れている状態における、第一流路２１を流れる第一液体８１の温度を「第四温度」という。第二流路２２又は第八流路２８を流れる第一液体８１の温度を「第五温度」という。
【００５６】
図１を参照して、ガス気化システム１を第一状態に設定する場合について説明する。第一状態は、例えば、春季、夏季、秋季、及び日中など、気温が高く、水−空気熱交換ユニット１２において第一液体８１を加熱できる場合、且つ、第一液体８１によって地中を温めることができる場合に設定される。第一状態は、水−空気熱交換ユニット１２において第一液体８１を加熱し、加熱した第一液体８１の温度を使用してヒートポンプ装置１３において第二液体８２を加熱し、ヒートポンプ装置１３において熱交換に使用された後の第一液体８１の温度を使用して地中熱交換器１１において地中を温める状態である。
【００５７】
図１に示すように、第一状態においては、第一液体８１が、地中熱交換器１１、水−空気熱交換ユニット１２、及びヒートポンプ装置１３を循環する。第一液体８１は、第一流路２１を介して、地中熱交換器１１から水−空気熱交換ユニット１２に流れる（矢印Ｈ１参照）。水−空気熱交換ユニット１２において、第一液体８１と空気との熱交換が行われる。本実施形態においては、第一状態が継続されている場合、水−空気熱交換ユニット１２において、第一液体８１が加熱されている状態となる。
【００５８】
第一液体８１は、第二流路２２を介して、水−空気熱交換ユニット１２からヒートポンプ装置１３に流れる（矢印Ｈ５参照）。ヒートポンプ装置１３において、ヒートポンプ方式により、第一液体８１と第二液体８２との熱交換が行われ、第二液体８２が加熱される。  
【００５９】
ヒートポンプ装置１３において加熱された第二液体８２は、第七流路２７を介して、ガス気化設備１４に流れる（矢印Ｈ１０参照）。第二液体８２の温度は、液化ガス容器１４１内の液化ガス１４２の気化に使用される。液化ガス１４２の気化に使用された第二液体８２は、第九流路２９を介して、ヒートポンプ装置１３に流れ（矢印Ｈ８参照）、ヒートポンプ装置１３において加熱される。すなわち、第二液体８２は、ヒートポンプ装置１３とガス気化設備１４との間で循環する。
【００６０】
一方、ヒートポンプ装置１３において第二液体８２の加熱に使用された第一液体８１は、第四流路２４を介して、地中熱交換器１１に流れる（矢印Ｈ４参照）。本実施形態においては、第一状態が継続されている場合、地中熱交換器１１において、第一液体８１が冷却され、且つ、地中が温められる状態となる。例えば、第二状態（図３参照）において、地中熱交換器１１において第一液体８１が加熱される状態が継続されると、地中の熱が奪われ続ける。これによって、地中が所謂「熱枯れ」の状態となる場合がある。この「熱枯れ」の状態となる可能性を低減するために、第一状態では、水−空気熱交換ユニット１２で加熱され、ヒートポンプ装置１３において熱交換された後に残った第一液体８１の熱を使用し、地中熱交換器１１において地中を温めるのである。
【００６１】
なお、第一状態においては、一例として、第一液体８１は、水−空気熱交換ユニット１２において７度から１５度に変化し、ヒートポンプ装置１３において１５度から１０度に変化し、地中熱交換器１１において１０度から７度に変化する。また、一例として、第二液体８２は、ヒートポンプ装置１３において、１５度から２５度に変化し、ガス気化設備１４において２５度から１５度に変化する。
【００６２】
図３を参照して、ガス気化システム１を第二状態に設定する場合について説明する。第二状態は、例えば、冬季及び夜間など、気温が低く、水−空気熱交換ユニット１２において第一液体８１を加熱できない場合、且つ、地中熱交換器１１において第一液体８１を加熱することができる場合に設定される。第二状態は、第一液体８１を地中熱交換器１１において加熱し、加熱した第一液体８１の温度を使用してヒートポンプ装置１３において第二液体８２を加熱し、第二液体８２を液化ガス１４２の気化に使用する状態である。第二状態においては、水−空気熱交換ユニット１２における第一液体８１の加熱は行われない。冬季や夜間など、気温が低いときには、水−空気熱交換ユニット１２において、第一液体８１を加熱し難いからである。
【００６３】
図３に示すように、第二状態においては、第一液体８１が、地中熱交換器１１とヒートポンプ装置１３との間を循環する。地中熱交換器１１において、第一液体８１と地中熱との熱交換が行われる。本実施形態においては、第二状態が継続されている場合、地中熱交換器１１において、第一液体８１が加熱されている状態となる。
【００６４】
第一液体８１は、第三流路２３を介して地中熱交換器１１からヒートポンプ装置１３に流れる（矢印Ｈ２参照）。第三流路２３によって、水−空気熱交換ユニット１２が迂回されるので、水−空気熱交換ユニット１２には、第一液体８１は流れない。
【００６５】
ヒートポンプ装置１３において、ヒートポンプ方式により、第一液体８１と第二液体８２との熱交換が行われ、第二液体８２が加熱される。第一状態と同様に、第二液体８２は、ヒートポンプ装置１３とガス気化設備１４との間で循環し、液化ガス容器１４１に貯留された液化ガス１４２の気化に使用される。
【００６６】
ヒートポンプ装置１３において熱交換に使用された後の第一液体８１は、第四流路２４を介して、地中熱交換器１１に流れる（矢印Ｈ４参照）。地中熱交換器１１において第一液体８１が加熱される。なお、第二状態においては、一例として、第一液体８１は、地中熱交換器１１において、０度から５度に変化し、ヒートポンプ装置１３において５度から０度に変化する。また、一例として、第二液体８２は、ヒートポンプ装置１３において１５度から２５度に変化し、ガス気化設備１４において２５度から１５度に変化する。
【００６７】
図４を参照して、ガス気化システム１を第三状態に設定する場合について説明する。第三状態は、例えば、春季、夏季、秋季、及び日中など、気温が高く、水−空気熱交換ユニット１２において第一液体８１を加熱できる場合、且つ、第一液体８１によって地中を温めることができない場合に設定される。第三状態は、第一液体８１を水−空気熱交換ユニット１２において加熱し、加熱した第一液体８１の温度を使用してヒートポンプ装置１３において第二液体８２を加熱し、第二液体８２を液化ガス１４２の気化に使用する状態である。第三状態においては、地中熱交換器１１による熱交換は行われない。
【００６８】
図４に示すように、第三状態においては、第一液体８１が、水−空気熱交換ユニット１２とヒートポンプ装置１３との間を循環する。水−空気熱交換ユニット１２において、第一液体８１と空気との熱交換が行われる。本実施形態においては、第三状態が継続されている場合、水−空気熱交換ユニット１２において、第一液体８１が加熱されている状態となる。
【００６９】
第一液体８１は、第二流路２２を介して、水−空気熱交換ユニット１２からヒートポンプ装置１３に流れる（矢印Ｈ５参照）。ヒートポンプ装置１３において、ヒートポンプ方式により、第一液体８１と第二液体８２との熱交換が行われ、第二液体８２が加熱される。第一状態（図１参照）と同様に、第二液体８２は、ヒートポンプ装置１３とガス気化設備１４との間で循環し、液化ガス容器１４１内の液化ガス１４２の気化に使用される。
【００７０】
ヒートポンプ装置１３において熱交換に使用された後の第一液体８１は、第五流路２５を介して、水−空気熱交換ユニット１２に流れる（矢印Ｈ３参照）。水−空気熱交換ユニット１２において第一液体８１が加熱される。第五流路２５によって、地中熱交換器１１が迂回されるので、地中熱交換器１１には、第一液体８１が流れない。なお、第三状態においては、一例として、第一液体８１は、水−空気熱交換ユニット１２において、５度から１０度に変化し、ヒートポンプ装置１３において１０度から５度に変化する。また、一例として、第二液体８２は、ヒートポンプ装置１３において１５度から２５度に変化し、ガス気化設備１４において２５度から１５度に変化する。
【００７１】
図５を参照して、ガス気化システム１を第四状態に設定する場合について説明する。第四状態は、例えば、春季、夏季、秋季、及び日中など、気温が高く、水−空気熱交換ユニット１２において第一液体８１を加熱できる場合、且つ、第一液体８１の温度が、液化ガス１４２の気化に使用されない場合に設定される。第四状態は、地中の所謂「熱枯れ」が発生する可能性を低減するために、水−空気熱交換ユニット１２で加熱された第一液体８１の熱を使用し、地中熱交換器１１において地中を温める状態である。
【００７２】
図５に示すように、第四状態においては、第一液体８１は、地中熱交換器１１と水−空気熱交換ユニット１２とを循環する。水−空気熱交換ユニット１２において、第一液体８１と空気との熱交換が行われる。本実施形態においては、第四状態が継続されている場合、水−空気熱交換ユニット１２において、第一液体８１が加熱されている状態となる。
【００７３】
第一液体８１は、第六流路２６を介して、水−空気熱交換ユニット１２から地中熱交換器１１に流れる（矢印Ｈ６参照）。本実施形態においては、第四状態が継続されている場合、地中熱交換器１１において、第一液体８１が冷却され、且つ、地中が温められる状態となる。第一液体８１は、第一流路２１を介して、地中熱交換器１１から水−空気熱交換ユニット１２に流れる（矢印Ｈ１参照）。なお、第四状態においては、一例として、第一液体８１は、水−空気熱交換ユニット１２において１２度から１５度に変化し、地中熱交換器１１において１５度から１２度に変化する。
【００７４】
図６及び図７を参照して、ガス気化システム１を第五状態（図６参照）に設定する場合と、第六状態（図７参照）に設定する場合について説明する。第五状態及び第六状態は、水−空気熱交換ユニット１２において加熱された第一液体８１の温度が、ガス気化設備１４において液化ガス１４２を気化可能な温度である気化温度以上である場合に、第一液体８１をガス気化設備１４に供給して、液化ガス１４２を気化させる状態である。気化温度は、液化ガス１４２を気化可能な温度以上であれば、何度に設定されてもよい。気化温度は、ＲＯＭ６０２に記憶されている。気化温度は、一例として、２５度である。
【００７５】
第五状態は、例えば、春季、夏季、秋季、及び日中など、気温が高く、水−空気熱交換ユニット１２において第一液体８１を加熱でき、第一液体８１によって液化ガス１４２を気化でき、第一液体８１によって地中を温めることができる場合に設定される。図６示すように、第五状態においては、第一液体８１が、地中熱交換器１１、水−空気熱交換ユニット１２、及びガス気化設備１４を循環する。第一液体８１は、第一流路２１を介して、地中熱交換器１１から水−空気熱交換ユニット１２に流れる（矢印Ｈ１参照）。水−空気熱交換ユニット１２において、第一液体８１と空気との熱交換が行われる。本実施形態においては、第五状態が継続されている場合、水−空気熱交換ユニット１２において、第一液体８１が加熱されている状態となる。
【００７６】
第一液体８１は、第八流路２８を介して、水−空気熱交換ユニット１２からガス気化設備１４に流れる（矢印Ｈ７参照）。第一液体８１の温度は、液化ガス容器１４１内の液化ガス１４２の気化に使用される。液化ガス１４２の気化に使用された第一液体８１は、第十流路３０、及び流路６４２，６４３，６４４を介して、地中熱交換器１１に流れる（矢印Ｈ９参照）。本実施形態においては、第五状態が継続されている場合、地中熱交換器１１において、第一液体８１が冷却され、且つ、地中が温められる状態となる。これによって、地中が所謂「熱枯れ」となる可能性が低減される。なお、第五状態においては、一例として、第一液体８１は、水−空気熱交換ユニット１２において１３度から２５度に変化し、ガス気化設備１４において２５度から１５度に変化し、地中熱交換器１１において１５度から１３度に変化する。
【００７７】
第六状態は、例えば、春季、夏季、秋季、及び日中など、気温が高く、水−空気熱交換ユニット１２において第一液体８１を加熱でき、第一液体８１によって液化ガス１４２を気化でき、第一液体８１によって地中を温めることできない場合に設定される。図７に示すように、第六状態においては、第一液体８１が、水−空気熱交換ユニット１２とガス気化設備１４との間を循環する。水−空気熱交換ユニット１２において、第一液体８１と空気との熱交換が行われる。本実施形態においては、第六状態が継続されている場合、水−空気熱交換ユニット１２において、第一液体８１が加熱されている状態となる。
【００７８】
第一液体８１は、第八流路２８を介して、水−空気熱交換ユニット１２からガス気化設備１４に流れる（矢印Ｈ７参照）。第一液体８１の温度は、液化ガス容器１４１内の液化ガス１４２の気化に使用される。液化ガス１４２の気化に使用された第一液体８１は、第十流路３０、流路６４２，６４３、流路６５１、及び流路６１２，６１３を介して、水−空気熱交換ユニット１２に流れる（矢印Ｈ１１参照）。なお、第六状態においては、一例として、第一液体８１は、水−空気熱交換ユニット１２において１５度から２５度に変化し、ガス気化設備１４において２５度から１５度に変化する。
【００７９】
図８〜図１０を参照し、ＣＰＵ６０１によるメイン処理について説明する。ガス気化システム１の電源がＯＮされると、ＣＰＵ６０１は、ＲＯＭ６０２からメイン処理のプログラムを読み出し、ＲＡＭ６０３に展開する。ＣＰＵ６０１は、メイン処理のプログラムに従って、メイン処理を行う。
【００８０】
メイン処理では、操作部６０９（図２参照）を介して、気化開始指示が入力されたか否かが判断される（Ｓ１１）。気化開始指示は、液化ガス１４２の気化を開始する指示である。気化開始指示が入力されていない場合（Ｓ１１：ＮＯ）、操作部６０９を介して、第四状態（図５参照）に設定する指示が入力されたか否かが判断される（Ｓ１２）。第四状態に設定する指示が入力されていない場合（Ｓ１２：ＮＯ）、操作部６０９を介して、第四状態を終了する指示が入力されたか否かが判断される（Ｓ１３）。第四状態を終了する指示が入力されていない場合（Ｓ１３：ＮＯ）、処理はＳ１１に戻る。
【００８１】
気化開始指示が入力された場合（Ｓ１１：ＹＥＳ）、液化ガス１４２の気化が開始される（Ｓ１４）。本実施形態においては、一例として、Ｓ１４において、ガス気化システム１が第一状態（図１参照）に設定されるとする。
【００８２】
第一状態（図１参照）に設定する場合、ＣＰＵ６０１は、第一電動弁３１を制御し、第一流路２１を介して、地中熱交換器１１から水−空気熱交換ユニット１２に第一液体８１が流れるように設定する（図１の矢印Ｈ１参照）。また、ＣＰＵ６０１は、第三電動弁３３と第四電動弁３４とを制御し、第二流路２２を介して、水−空気熱交換ユニット１２からヒートポンプ装置１３に第一液体８１が流れるように設定する（図１の矢印Ｈ５参照）。また、ＣＰＵ６０１は、第二電動弁３２と第五電動弁３５とを制御し、第四流路２４を介して、ヒートポンプ装置１３から地中熱交換器１１に第一液体８１が流れるように設定する（図１の矢印Ｈ４参照）。ＣＰＵ６０１は、ヒートポンプ装置１３、ガス気化設備１４、第一ポンプ５１１、及び第二ポンプ５１２を駆動し、第一状態における液化ガス１４２の気化を開始する。
【００８３】
次いで、ＣＰＵ６０１は、所定時間待機する（Ｓ１５）。この待機は、各流路における第一液体８１と第二液体８２の温度が安定するまで待つために行われる。なお、以下では特に説明しないが、第一状態〜第六状態の間で状態が変化する場合、各流路における第一液体８１と第二液体８２の温度が安定するまで、待機の処理が行われてもよい。
【００８４】
次いで、第一温度センサ５２１の出力に基づき、第一温度が取得される（Ｓ１６）。次いで、第二温度センサ５２２の出力に基づき、外気の温度である第二温度が取得される（Ｓ１７）。次いで、Ｓ１６において取得された第一温度が、Ｓ１７において取得された第二温度より小さいか否かが判断される（Ｓ１８）。
【００８５】
第一温度が第二温度より小さい場合（Ｓ１８：ＹＥＳ）、第一電動弁３１が制御され、第一流路２１を介して地中熱交換器１１から水−空気熱交換ユニット１２に第一液体８１が流される（図１の矢印Ｈ１参照）（Ｓ１９）。なお、既に、第一流路２１を介して地中熱交換器１１から水−空気熱交換ユニット１２に第一液体８１が流されている状態である場合は、該状態が継続される。
【００８６】
次いで、図９に示すように、第三温度センサ５２３の出力に基づき、第三温度が取得される（Ｓ３１）。次いで、第一温度センサ５２１の出力に基づき、第四温度が取得される（Ｓ３２）。Ｓ３１において取得された第三温度が、Ｓ３２において取得された第四温度より大きいか否かが判断される（Ｓ３３）。
【００８７】
第三温度が第四温度より大きい場合（Ｓ３３：ＹＥＳ）、第二電動弁３２が制御され、第四流路２４を介してヒートポンプ装置１３から地中熱交換器１１に第一液体８１が流される状態が維持される（Ｓ３４）。次いで、第五温度センサ５２５の出力に基づいて、第五温度が取得される（Ｓ３６）。次いで、Ｓ３６において取得された第五温度が、気化温度より小さいか否かが判断される（Ｓ３７）。
【００８８】
第五温度が気化温度より小さい場合（Ｓ３７：ＹＥＳ）、第四電動弁３４が制御され、第二流路２２を介して、水−空気熱交換ユニット１２からヒートポンプ装置１３に第一液体８１が流され（図１の矢印Ｈ５参照）、第七流路２７を介してヒートポンプ装置１３からガス気化設備１４に第二液体８２が流される（図１の矢印Ｈ１０参照）（Ｓ３８）。この場合、ヒートポンプ装置１３において第一液体８１と第二液体８２との間で熱交換され、第二液体８２が加熱される。加熱された第二液体８２は、第七流路２７を介してヒートポンプ装置１３からガス気化設備１４に流され、ガス気化設備１４において、液化ガス１４２が気化される。なお、既に、第二流路２２を介して水−空気熱交換ユニット１２からヒートポンプ装置１３に第一液体８１を流され、第七流路２７を介してヒートポンプ装置１３からガス気化設備１４に第二液体８２を流されている状態である場合は、該状態が継続される。
【００８９】
次いで、第五電動弁３５が制御され、第九流路２９を介して、ガス気化設備１４からヒートポンプ装置１３に第二液体８２が流される（図１の矢印Ｈ８参照）（Ｓ３９）。なお、第五電動弁３５は、流路６４１から流路６４２に第一液体８１が流されるように設定され、第十流路３０から流路６４２には、第二液体８２が流れないように設定される。既に、第九流路２９を介して、ガス気化設備１４からヒートポンプ装置１３に第二液体８２が流されている状態である場合は、該状態が継続される。
【００９０】
次いで、ヒートポンプ装置１３が駆動される（Ｓ４０）。既に、ヒートポンプ装置１３が駆動されている場合は、ヒートポンプ装置１３の駆動が継続される。
【００９１】
次いで、図１０に示すように、地中熱交換器１１に第一液体８１を流しているか否かが判断される（Ｓ５１）。第一状態（図１参照）、第二状態（図３参照）、第四状態（図５参照）、及び第五状態（図６参照）である場合、地中熱交換器１１に第一液体８１を流している。地中熱交換器１１に第一液体８１を流している場合（Ｓ５１：ＹＥＳ）、操作部６０９を介して、気化停止指示が入力されたか否かが判断される（Ｓ５５）。気化停止指示は、液化ガス１４２を気化させる動作を停止する指示である。気化停止指示が入力されていない場合（Ｓ５５：ＮＯ）、処理は、図８のＳ１６に戻る。以上の処理が実行される場合、第一状態が維持される。
【００９２】
次に、第一状態（図１参照）から第二状態（図３参照）に切り替えられる場合を例にして、説明する。冬季及び夜間など、気温が低くなると、地中の温度が気温以上となり、第一温度が第二温度以上となる。この場合、Ｓ１８において、第一温度が第二温度より小さくないと判断され（Ｓ１８：ＮＯ）、第一電動弁３１が制御され、第三流路２３を介して地中熱交換器１１からヒートポンプ装置１３に第一液体８１が流される（図３の矢印Ｈ２参照）（Ｓ２０）。これによって、第一状態（図１参照）から第二状態（図３参照）に変化する。すなわち、水−空気熱交換ユニット１２に第一液体８１が供給されない。なお、既に、第三流路２３を介して地中熱交換器１１からヒートポンプ装置１３に第一液体８１が流されている状態である場合は、該状態が継続される。
【００９３】
次いで、処理はＳ５５（図１０参照）に進む。第二状態にある場合において、第一温度が第二温度より小さくなると（Ｓ１８：ＹＥＳ）、第一状態（図１参照）に設定される（Ｓ１９）。
【００９４】
次に、第一状態（図１参照）から第三状態（図４参照）に切り替えられる場合について説明する。第三温度が第四温度以下となる状態となると、地中熱交換器１１において地中を温めることはできない。よって、地中熱交換器１１に第一液体８１を循環させない第三状態に設定される。
【００９５】
第三温度が第四温度以下となると、Ｓ３３において第三温度が第四温度より大きくないと判断され（Ｓ３３：ＮＯ）、第二電動弁３２が制御され、第五流路２５を介してヒートポンプ装置１３から水−空気熱交換ユニット１２に第一液体８１が流される（図４の矢印Ｈ３参照）（Ｓ３５）。これによって、第一状態（図１参照）から第三状態（図４参照）に切り替えられる。よって、地中熱交換器１１には第一液体８１が供給されない。なお、既に、第五流路２５を介してヒートポンプ装置１３から水−空気熱交換ユニット１２に第一液体８１が流されている状態である場合は、該状態が継続される。
【００９６】
次いで、処理はＳ３６に進む。第三状態に設定されると、Ｓ５１（図１０参照）において、地中熱交換器１１に第一液体８１が流されていないと判断され（Ｓ５１：ＮＯ）、操作部６０９を介して、地中熱交換器１１に第一液体８１を流す指示が入力されたか否かが判断される（Ｓ５２）。地中熱交換器１１に第一液体８１を流す指示が入力されていない場合（Ｓ５２：ＮＯ）、操作部６０９を介して、気化停止指示が入力されたか否かが判断される（Ｓ５３）。気化停止指示が入力されていない場合（Ｓ５３：ＮＯ）、処理はＳ３６（図９参照）に戻る。これによって、第三状態（図４参照）が維持される。
【００９７】
地中熱交換器１１に第一液体８１を流す指示が入力された場合（Ｓ５２：ＹＥＳ）、第二電動弁３２が制御され、地中熱交換器１１に第一液体８１が流される（図１の矢印Ｈ４参照）（Ｓ５４）。これによって、第三状態（図４参照）から第一状態（図１参照）に切り替えられる。次いで、処理はＳ５５に進む。
【００９８】
第一状態（図１参照）から第五状態（図６参照）に切り替えられる場合、及び、第三状態（図４参照）から第六状態（図７参照）に切り替えられる場合について説明する。第五温度が気化温度以上となる場合、Ｓ３７において、第五温度が気化温度より小さくないと判断され（Ｓ３７：ＮＯ）、第四電動弁３４が制御され、第八流路２８を介して水−空気熱交換ユニット１２からガス気化設備１４に第一液体８１が流される（図６及び図７の矢印Ｈ７参照）（Ｓ４１）。なお、既に、第八流路２８を介して水−空気熱交換ユニット１２からガス気化設備１４に第一液体８１が流されている状態であれば、該状態が継続される。
【００９９】
次いで、第五電動弁３５が制御され、第十流路３０を介して、ガス気化設備１４から流路６４２に第一液体８１が流される（図６の矢印Ｈ９及び図７の矢印Ｈ１１参照）（Ｓ４２）。なお、既に、第十流路３０を介して、ガス気化設備１４から流路６４２に第一液体８１が流されている状態であれば、該状態が継続される。
【０１００】
次いで、ヒートポンプ装置１３が停止される（Ｓ４３）。なお、既にヒートポンプ装置１３が停止されている場合は、該状態が継続される。第一状態（図１参照）であった場合、Ｓ４１及びＳ４２によって、第五状態（図６参照）に切り替えられる。また、第三状態（図４参照）であった場合、Ｓ４１及びＳ４２によって、第六状態（図７参照）に切り替えられる。すなわち、Ｓ４２においては、第五電動弁３５が制御され、第十流路３０を介して、ガス気化設備１４から地中熱交換器１１又は水−空気熱交換ユニット１２に第一液体８１が流される。次いで、処理は図１０のＳ５１に進む。
【０１０１】
第五状態（図６参照）又は第六状態（図７参照）にある場合において、第五温度が気化温度より小さくなると（Ｓ３７：ＹＥＳ）、Ｓ３８〜Ｓ４０の処理が実行される。これによって、第五状態（図６参照）から第一状態（図１参照）に切り替えられる。また、第六状態（図７参照）から第三状態（図４参照）に切り替えられる。
【０１０２】
Ｓ５５において、気化停止指示が入力された場合（Ｓ５５：ＹＥＳ）、液化ガス１４２の気化が停止される（Ｓ５６）。また、Ｓ５３において、気化停止指示が入力された場合（Ｓ５３：ＹＥＳ）、液化ガス１４２の気化が停止される（Ｓ５６）。Ｓ５６においては、例えば、第一ポンプ５１１、第二ポンプ５１２、ヒートポンプ装置１３、及びガス気化設備１４の駆動が停止される。次いで、処理はＳ１１（図８参照）に戻る。
【０１０３】
液化ガス１４２の気化が停止されている状態において、第四状態（図５参照）に設定する指示が入力された場合（Ｓ１２：ＹＥＳ）、少なくとも第三電動弁３３が制御され、第六流路２６を介して水−空気熱交換ユニット１２から地中熱交換器１１に第一液体８１が流れる設定される（図５の矢印Ｈ６参照）（Ｓ２１）。本実施形態においては、第二電動弁３２も制御され、流路６４３から流路６４４に第一液体８１が流れるように設定される（Ｓ２１）。
【０１０４】
次いで、第一電動弁３１が制御され、第一流路２１を介して、地中熱交換器１１から水−空気熱交換ユニット１２に第一液体８１が流れるように設定される（図５の矢印Ｈ１参照）（Ｓ２２）。次いで、第一ポンプ５１１が駆動され、第一液体８１が流される（Ｓ２３）。Ｓ２１〜Ｓ２３の処理によって、ガス気化システム１が第四状態（図５参照）に設定される。次いで、処理は、Ｓ１１に戻る。
【０１０５】
第四状態を終了する指示が入力された場合（Ｓ１３：ＹＥＳ）、第一ポンプ５１１の駆動が停止され、第四状態において第一液体８１が流される状態が停止される（Ｓ２４）。次いで、処理はＳ１１に戻る。
【０１０６】
以上のように、本実施形態における処理が実行される。本実施形態では、第一電動弁３１によって、第一流路２１を介して地中熱交換器１１から水−空気熱交換ユニット１２に第一液体８１を流す場合（図１の矢印Ｈ１参照）と、第三流路２３を介して地中熱交換器１１からヒートポンプ装置１３に第一液体８１を流す場合（図３の矢印Ｈ２参照）とが切り替えられる。このため、例えば、冬季及び夜間など、気温が低く、水−空気熱交換ユニット１２において第一液体８１を加熱できない場合には、地中熱交換器１１によって第一液体８１を加熱し、加熱した第一液体８１を、第三流路２３を介して地中熱交換器１１からヒートポンプ装置１３に流すことができる（図３参照）。そして、ヒートポンプ装置１３において第一液体８１の温度を使用して、第二液体８２を加熱することができる。そして、加熱した第二液体８２をガス気化設備１４に流し、液化ガス１４２の気化に使用することができる。また、例えば、春季、夏季、秋季、及び日中など、気温が高く、水−空気熱交換ユニット１２において第一液体８１を加熱できる場合には、地中熱交換器１１において熱交換された第一液体８１を、第一流路２１を介して水−空気熱交換ユニット１２に第一液体８１に流し、水−空気熱交換ユニット１２において第一液体８１を加熱することができる（図１参照）。そして、ヒートポンプ装置１３において第一液体８１の温度を使用して、第二液体８２を加熱することができる。そして、加熱した第二液体８２をガス気化設備１４に流し、液化ガス１４２の気化に使用することができる。このように、ガス気化システム１は、ヒートポンプ方式を使用して、一年を通して、液化ガスを気化することができる。よって、ガス気化システム１にヒートポンプ方式を使用することができる。また、ヒートポンプ方式を使用することによって、例えば、燃料をボイラー装置で燃焼させて第二液体８２を加熱する場合に比べて、コストダウンを行うことができる。
【０１０７】
また、第一温度が取得され（Ｓ１６）、第二温度が取得される（Ｓ１７）。第一温度が第二温度より小さい場合（Ｓ１８：ＹＥＳ）、第一電動弁３１が制御され、第一流路２１を介して地中熱交換器１１から水−空気熱交換ユニット１２に第一液体８１が流される（Ｓ１９）。第一温度が、外気の温度である第二温度よりも小さい場合、水−空気熱交換ユニット１２において、第一液体８１を加熱することが可能である。このため、水−空気熱交換ユニット１２に第一液体８１を流して、第一液体８１を加熱するのである。一方、第一温度が第二温度より小さくない場合（Ｓ１８：ＮＯ）、第三流路２３を介して地中熱交換器１１からヒートポンプ装置１３に第一液体８１が流される（Ｓ２０）。第一温度が、外気の温度である第二温度以上である場合、水−空気熱交換ユニット１２において、第一液体８１を加熱することが難しい。このため、水−空気熱交換ユニット１２には第一液体８１を流さず、地中熱交換器１１からヒートポンプ装置１３に直接第一液体８１を流すのである。このように、第一温度と第二温度との関係によって、第一流路２１を介して地中熱交換器１１から水−空気熱交換ユニット１２に第一液体８１が流される場合（図１参照）と、第三流路２３を介して地中熱交換器１１からヒートポンプ装置１３に第一液体８１が流される場合（図３参照）とが、自動的に切り替えられる。よって、ユーザが手動で流路を切り替える必要がなく、ユーザの利便性が向上する。
【０１０８】
また、第四流路２４は、ヒートポンプ装置１３において熱交換に使用された後の第一液体８１が流れる流路であって、ヒートポンプ装置１３と地中熱交換器１１とを繋ぐ流路である。第四流路２４が設けられていることによって、ヒートポンプ装置１３において熱交換に使用された後の第一液体８１を、地中熱交換器１１に流すことができる。よって、例えば、地中の温度が第一液体８１より高いときには、ヒートポンプ装置１３から地中熱交換器１１に第一液体８１を流して、第一液体８１を加熱することができる。また、例えば、地中の温度が第一液体８１より低いときには、ヒートポンプ装置１３から地中熱交換器１１に第一液体８１を流して、地中熱交換器１１において地中を温めて、地中が、所謂「熱枯れ」となる可能性を低減することができる。
【０１０９】
また、第五流路２５は、ヒートポンプ装置１３において熱交換に使用された後の第一液体８１が流れる流路であって、ヒートポンプ装置１３と水−空気熱交換ユニット１２とを繋ぐ流路である。そして、第二電動弁３２は、第四流路２４を介してヒートポンプ装置１３から地中熱交換器１１に第一液体８１を流す場合（図１参照）と、第五流路２５を介してヒートポンプ装置１３から水−空気熱交換ユニット１２に第一液体８１を流す場合と（図４参照）を切り替える。すなわち、地中熱交換器１１に第一液体８１を流す場合と、流さない場合とを切り替えることができる。よって、例えば、ヒートポンプ装置１３から第四流路２４に流出した第一液体８１に、地中を温めることができる温度が残っている場合にのみ、地中熱交換器１１に第一液体８１を流して、地中が所謂「熱枯れ」となる可能性を低減することができる。
【０１１０】
また、第三温度が第四温度より大きい場合（Ｓ３３：ＹＥＳ）、第二電動弁３２が制御され、第四流路２４を介してヒートポンプ装置１３から地中熱交換器１１に第一液体８１が流される（Ｓ３４）。第三温度が第四温度より大きくない場合（Ｓ３３：ＮＯ）、第二電動弁３２が制御され、第五流路２５を介してヒートポンプ装置１３から水−空気熱交換ユニット１２に第一液体８１が流される（Ｓ３５）。第三温度が第四温度より大きい場合、第四流路２４を介してヒートポンプ装置１３から地中熱交換器１１に流入した第一液体８１が、地中熱交換器１１において、冷却されて第一流路２１に流出している状態である。すなわち、地中熱交換器１１において第一液体８１の温度が使用され、地中が温められている状態である。地中熱交換器１１において地中が温められる状態である場合に、第四流路２４を介してヒートポンプ装置１３から地中熱交換器１１に第一液体８１が流されるので（Ｓ３４）、地中が所謂「熱枯れ」の状態となる可能性を低減できる。一方、第三温度が第四温度以下である場合、第四流路２４を介してヒートポンプ装置１３から地中熱交換器１１に流入した第一液体８１が、地中熱交換器１１において、加熱されて第一流路２１に流出している状態である。このため、地中熱交換器１１において第一液体８１が地中から熱を奪っている状態である。第一液体８１が地中から熱を奪っている場合に、第五流路２５を介してヒートポンプ装置１３から水−空気熱交換ユニット１２に第一液体８１が流されるので（Ｓ３５）、地中熱交換器１１に第一液体８１が流されない。このため、地中熱交換器１１において地中の熱が奪われ、地中が所謂「熱枯れ」の状態となる可能性を低減できる。
【０１１１】
また、第六流路２６は、水−空気熱交換ユニット１２において熱交換された後の第一液体８１が流れる流路であって、水−空気熱交換ユニット１２と地中熱交換器１１とを繋ぐ流路である。第三電動弁３３は、第二流路２２を介して水−空気熱交換ユニット１２からヒートポンプ装置１３に第一液体８１を流す場合（図１参照）と、第六流路２６を介して水−空気熱交換ユニット１２から地中熱交換器１１に第一液体８１を流す場合（図５参照）とを切り替える。このため、第二流路２２を介して水−空気熱交換ユニット１２からヒートポンプ装置１３に第一液体８１を流す場合、水−空気熱交換ユニット１２において加熱した第一液体８１の温度を使用して、ヒートポンプ装置１３において第二液体８２を加熱することができる。また、水−空気熱交換ユニット１２から地中熱交換器１１に第一液体８１を流す場合、水−空気熱交換ユニット１２において加熱した第一液体８１の温度を使用して、地中熱交換器１１において地中を温めることができる。よって、地中が所謂「熱枯れ」になる可能性を低減できる。
【０１１２】
また、ガス気化設備１４による液化ガス１４２の気化が停止されている場合に、第三電動弁３３が制御され、第六流路２６を介して水−空気熱交換ユニット１２から地中熱交換器１１に第一液体８１が流される（図５参照）（Ｓ２１）。このため、ガス気化設備１４による液化ガス１４２の気化が停止されている場合に、水−空気熱交換ユニット１２において加熱した第一液体８１の温度を使用して、地中熱交換器１１において地中を温めることができる。よって、地中が所謂「熱枯れ」になる可能性を低減できる。
【０１１３】
また、第四電動弁３４は、第二流路２２を介して水−空気熱交換ユニット１２からヒートポンプ装置１３に第一液体８１を流し、第七流路２７を介してヒートポンプ装置１３からガス気化設備１４に第二液体８２を流す場合（図１及び図４参照）と、第八流路２８を介して水−空気熱交換ユニット１２からガス気化設備１４に第一液体８１を流す場合（図６及び図７参照）とを切り替える。このため、第八流路２８を介して水−空気熱交換ユニット１２からガス気化設備１４に第一液体８１を流す場合に、水−空気熱交換ユニット１２において加熱された第一液体８１を使用して、液化ガス１４２を気化することができる。よって、ヒートポンプ装置１３を駆動する必要がなく、ガス気化システム１の運転コストを低減することができる。
【０１１４】
また、第五温度が気化温度より小さい場合（Ｓ３７：ＹＥＳ）、第四電動弁３４が制御され、第二流路２２を介して水−空気熱交換ユニット１２からヒートポンプ装置１３に第一液体８１が流され、第七流路２７を介してヒートポンプ装置１３からガス気化設備１４に第二液体８２が流される（図１及び図４参照）（Ｓ３８）。第五温度が気化温度より小さくない場合（Ｓ３７：ＮＯ）、第四電動弁３４が制御され、第八流路２８を介して水−空気熱交換ユニット１２からガス気化設備１４に第一液体８１が流される（図６及び図７参照）（Ｓ４１）。すなわち、第五温度が気化温度以上である場合に、自動的に、第一液体８１がガス気化設備１４に流され、液化ガス１４２の気化に使用される。よって、ユーザが手動で流路を切り替える必要がなく、ユーザの利便性が向上する。
【０１１５】
上記実施形態において、地中熱交換器１１は本発明の「地中熱交換部」の一例である。水−空気熱交換ユニット１２は本発明の「空気熱交換部」の一例である。ヒートポンプ装置１３は本発明の「ヒートポンプ部」の一例である。ガス気化設備１４は本発明の「ガス気化部」の一例である。第一電動弁３１は本発明の「第一切替部」の一例である。Ｓ１６の処理を行うＣＰＵ６０１は、本発明の「第一温度取得手段」の一例である。Ｓ１７の処理を行うＣＰＵ６０１は、本発明の「第二温度取得手段」の一例である。Ｓ１８の処理を行うＣＰＵ６０１は、本発明の「第一温度判断手段」の一例である。Ｓ１９の処理を行うＣＰＵ６０１は、本発明の「第一制御手段」の一例である。Ｓ２０の処理を行うＣＰＵ６０１は、本発明の「第二制御手段」の一例である。
【０１１６】
第二電動弁３２は本発明の「第二切替部」の一例である。Ｓ３１の処理を行うＣＰＵ６０１は、本発明の「第三温度取得手段」の一例である。Ｓ３２の処理を行うＣＰＵ６０１は、本発明の「第四温度取得手段」の一例である。Ｓ３３の処理を行うＣＰＵ６０１は、本発明の「第二温度判断手段」の一例である。Ｓ３４の処理を行うＣＰＵ６０１は、本発明の「第三制御手段」の一例である。Ｓ３５の処理を行うＣＰＵ６０１は、本発明の「第四制御手段」の一例である。第三電動弁３３は本発明の「第三切替部」の一例である。Ｓ２１の処理を行うＣＰＵ６０１は、本発明の「第五制御手段」の一例である。第四電動弁３４は本発明の「第四切替部」の一例である。Ｓ３６の処理を行うＣＰＵ６０１は、本発明の「第五温度取得手段」の一例である。Ｓ３８の処理を行うＣＰＵ６０１は、本発明の「第六制御手段」の一例である。Ｓ４１の処理を行うＣＰＵ６０１は、本発明の「第七制御手段」の一例である。
【０１１７】
本発明は、上記実施形態に限定されることなく、種々の変形が可能である。例えば、第一電動弁３１、第二電動弁３２、第三電動弁３３、第四電動弁３４、第五電動弁３５が、ＣＰＵ６０１に制御されることによって、流路が切り替えられていたが、これに限定されない。例えば、第一電動弁３１、第二電動弁３２、第三電動弁３３、第四電動弁３４、及び第五電動弁３５が電動弁ではなく、ユーザの手動によって流路を切り替えることができる部材であってもよい。また、第一電動弁３１、第二電動弁３２、第三電動弁３３、第四電動弁３４、及び第五電動弁３５が流路を切り替えるタイミングは、ユーザが操作部６０９によって、流路を切り替える指示を入力したタイミングでもよい。
【０１１８】
また、各装置の台数及び流路の接続方法は、上記実施形態に限定されない。例えば、地中熱交換器１１は、地中に埋設された２つのＵチューブ１１１，１１２を備えていたが、Ｕチューブの数は、１つでもよいし、３つ以上の複数でもよい。また、複数のＵチューブが直列に接続されてもよく、また、並列に接続されてもよい。また、地中熱交換器１１は、Ｕチューブでなくてもよい。同様に、他の装置（例えば、水−空気熱交換ユニット１２、ヒートポンプ装置１３等）の台数、流路の接続方法、装置の種類は限定されない。
【０１１９】
また、第二電動弁３２、第三電動弁３３、及び第四電動弁３４によって、流路が切り替えられていたが、流路が切り替えられなくてもよい。この場合、第二電動弁３２、第三電動弁３３、及び第四電動弁３４によって流路が切り替えられる処理が実行されなくてもよい。また、Ｓ１６、Ｓ１７、Ｓ３１、Ｓ３２、及びＳ３６の処理が実行されず、第一温度、第二温度、第三温度、第四温度、及び第五温度が取得されなくてもよい。第四流路２４、第五流路２５、第六流路２６、第八流路２８、第九流路２９、第十流路３０が設けられなくてもよい。
【０１２０】
また、地中熱交換器１１に第一液体８１を流す指示が入力された場合に（Ｓ５２：ＹＥＳ）、地中熱交換器１１に第一液体８１が流されていたが（Ｓ５４）、これに限定されない。例えば、所定時間毎（例えば、１時間毎など）に、地中熱交換器１１に第一液体８１が流されてもよい。また、所定の時刻（例えば、午後３時など）になった場合に、地中熱交換器１１に第一液体８１が流されてもよい。
【０１２１】
また、第一液体８１によって地中を温めることができる場合に地中熱交換器１１に第一液体８１を流し、第一液体８１によって地中を温めることができない場合に地中熱交換器１１に第一液体８１を流さないことを、一例として説明したが（Ｓ３３、Ｓ３４、及びＳ３５参照）、これに限定されない。例えば、第一液体８１によって地中を温めることができる状態でも、地中熱交換器１１に第一液体８１を流さなくてもよい。また、第一液体８１によって地中を温めることができない場合でも、地中熱交換器１１に第一液体８１を流してもよい。この場合、地中熱交換器１１において、第一液体８１を加熱することができる。よって、例えば、第一状態（図１参照）の場合、地中熱交換器１１において第一液体８１を加熱し、さらに、水−空気熱交換ユニット１２において第一液体８１を加熱して、第一液体８１をヒートポンプ装置１３に供給することができる。また、地中熱交換器１１に第一液体８１と流す場合と流さない場合とが切り替えられなくてもよく、地中熱交換器１１に第一液体８１を常に流し続けてもよい。
【符号の説明】
【０１２２】
１    ガス気化システム
１１    地中熱交換器
１２    空気熱交換ユニット
１３    ヒートポンプ装置
１４    ガス気化設備
２１    第一流路
２２    第二流路
２３    第三流路
２４    第四流路
２５    第五流路
２６    第六流路
２７    第七流路
２８    第八流路
２９    第九流路
３０    第十流路
３１    第一電動弁
３２    第二電動弁
３３    第三電動弁
３４    第四電動弁
３５    第五電動弁
８１    第一液体
８２    第二液体
１４２    液化ガス
５１１    第一ポンプ
５１２    第二ポンプ
６０１    ＣＰＵ
【図１】
2020139550.tif 000003
【図２】
2020139550.tif 000004
【図３】
2020139550.tif 000005
【図４】
2020139550.tif 000006
【図５】
2020139550.tif 000007
【図６】
2020139550.tif 000008
【図７】
2020139550.tif 000009
【図８】
2020139550.tif 000010
【図９】
2020139550.tif 000011
【図１０】
2020139550.tif 000012